(57)【特許請求の範囲】
【請求項１】
所定の温度以下に管理されている穀粒低温貯蔵庫を有する大規模乾燥調製貯蔵施設に並設されている保有玄米保管払出施設において、前記保有玄米保管払出施設の建屋内は、荷受室Ａと精米室Ｂと出荷室Ｃと払い出し室Ｄとで構成され、前記荷受室Aの一側部には個人用荷受ホッパ１を、その他側部には業務出荷用荷受ホッパ２０をそれぞれ設け、該個人用荷受ホッパ１，業務出荷用荷受ホッパ２０は前記大規模乾燥調整貯蔵施設の穀粒低温貯蔵庫に保管されてた穀粒に係る玄米を受け入れる構成とし、前記精米室Ｂは前記個人用荷受ホッパ１に受け入れられた玄米を低温あるいは常温で保管する個人用玄米タンク４と、利用者の指定した払出玄米量を玄米のままであるいは精米して白米として払い出す玄米・白米払出装置とを備える利用者個人向けの小能力の保有玄米の保管払出施設を設けると共に、前記業務出荷用荷受ホッパ２０に供給された玄米を保管する業務出荷用玄米タンク２３と、業務出荷用玄米タンク２３内の玄米を精米する精米機２８，３１と，精米機２８，３１で精米された白米を品種ごとに張り込む複数の白米タンク４１と，白米タンク４１の白米を所定重量毎に計量袋詰めする自動計量包装機４８とを備えた大能力の業務出荷用玄米払出施設を設け、前記利用者個人向けの小能力の保有玄米の保管払出施設で精米された白米は前記払い出し室Ｄから払い出し、前記大能力の業務出荷用玄米払出施設で袋詰された白米は前記出荷室Ｃから出荷する構成としたことを特徴とする保有玄米保管払出施設。
【発明の詳細な説明】
【０００１】
【産業上の利用分野】
この発明は、保有玄米の保管払出装置に関するものである。
【０００２】
【従来の技術】
カントリ−エレベータ，ライスセンタ−等の大規模乾燥調製貯蔵施設に持ち込まれた穀粒には、これらの施設から出荷される出荷米と、利用農家の食用に供する保有米とに区分される。この保有米についての利用農家への保管及び払出は、利用農家の希望により、施設の管理作業者が例えば玄米を３０ｋｇまたは６０ｋｇの袋詰とし、農家に手渡したり、配送したりしている。
【０００３】
【発明が解決しようとする課題】
従来の保管払出方法では、施設には管理作業者を配置しなければならず、このため人件費がかさみ、また、これらの施設での籾・玄米の保管中には温度管理がなされてなく、夏場の高温により穀粒が劣化し、食味が低下するという問題があつた。
【０００４】
そこで、この発明は、これらの施設のサイロ等で保有米として保管されている乾燥・籾摺後の籾を、年間を通じて所定温度（例えば、１５°Ｃ）以下で保管して、穀粒の劣化防止及び食味の維持を図りながら、出荷用玄米を保管及び出荷をできると共に、前記サイロ等から１〜２トン程度の小ロットで籾を取り出して、これらの施設の籾摺装置で籾摺し、これらの施設に並設した玄米保管施設に移して保有米の玄米を一時保管し（あるいは、サイロ等で玄米で保管されている場合には、そのまま玄米を移し保管し）、コンピュ−タを利用した無人運転で、利用農家へ自動的に玄米あるいは白米として払出そうとするものである。
【０００５】
【課題を解決するための手段】
この発明は、このような従来装置の問題点を解決しようとするものであつて、次の技術的手段を講じた。即ち、この発明は、所定の温度以下に管理されている穀粒低温貯蔵庫を有する大規模乾燥調製貯蔵施設に並設されている保有玄米保管払出施設において、前記保有玄米保管払出施設の建屋内は、荷受室Ａと精米室Ｂと出荷室Ｃと払い出し室Ｄとで構成され、前記荷受室Aの一側部には個人用荷受ホッパ１を、その他側部には業務出荷用荷受ホッパ２０をそれぞれ設け、該個人用荷受ホッパ１，業務出荷用荷受ホッパ２０は前記大規模乾燥調整貯蔵施設の穀粒低温貯蔵庫に保管されてた穀粒に係る玄米を受け入れる構成とし、前記精米室Ｂは前記個人用荷受ホッパ１に受け入れられた玄米を低温あるいは常温で保管する個人用玄米タンク４と、利用者の指定した払出玄米量を玄米のままであるいは精米して白米として払い出す玄米・白米払出装置とを備える利用者個人向けの小能力の保有玄米の保管払出施設を設けると共に、前記業務出荷用荷受ホッパ２０に供給された玄米を保管する業務出荷用玄米タンク２３と、業務出荷用玄米タンク２３内の玄米を精米する精米機２８，３１と，精米機２８，３１で精米された白米を品種ごとに張り込む複数の白米タンク４１と，白米タンク４１の白米を所定重量毎に計量袋詰めする自動計量包装機４８とを備えた大能力の業務出荷用玄米払出施設を設け、前記利用者個人向けの小能力の保有玄米の保管払出施設で精米された白米は前記払い出し室Ｄから払い出し、前記大能力の業務出荷用玄米払出施設で袋詰された白米は前記出荷室Ｃから出荷する構成としたことを特徴とする保有玄米保管払出施設としたものである。
【０００６】
【作用】
まず、利用者個人向けの小能力の保有玄米の保管払出施設の作用について説明すると、大規模乾燥調製貯蔵施設の穀粒低温貯蔵庫で、所定温度以下に保管されている籾は、当該施設の籾摺装置を利用して玄米とし、また、穀粒低温貯蔵庫で玄米として保管されている場合には、その玄米を比較的小ロットで取り出し、大規模乾燥調製貯蔵施設に並設されている保有玄米保管払出施設の個人用荷受ホッパ１を経由して個人用玄米タンク４に移し替えられる。個人用玄米タンク４に利用者の保有米として保管されている玄米は、利用者の指定玄米量に基づき、残存保有米量等を照合しながら、玄米あるいは精米して白米とし、自動的に払い出し室Dより払い出される。
【０００７】
次に、大能力の業務出荷用玄米払出施設の作用について説明すると、業務出荷用荷受ホッパ２０に供給された玄米は業務出荷用玄米タンク２３に保管され、次いで精米機２８，３１で精米され白米タンク４１に張り込まれる。そして自動計量包装機４８で袋詰めされ出荷室Cから出荷される。
【０００８】
【実施例】
以下、図面に示すこの発明の実施例について説明する。図１に示すように、保有玄米保管払出施設の建家は、荷受室Ａ，精米室Ｂ，出荷室Ｃ及び利用者への保有米を払い出す払出室Ｄで構成されいる。そして、これらの建家は、周知のカントリ−エレベータ等の大規模乾燥調製貯蔵施設（図示省略。荷受処理，乾燥，精選，貯蔵，籾摺調製，自主検定等の諸機能を有する。）に並設されている。この大規模乾燥調製貯蔵施設における利用農家の保有米保管用のサイロ（図示省略）は、保有米である乾燥後の籾、あるいは、乾燥・籾摺後の玄米を保管するもので、籾あるいは玄米の保管中には、年間を通じて所定温度（例えば、１５°Ｃ）以下に保持する温度管理がなされている。なお、保有米を出荷用の玄米と一緒のサイロで保管する構成としてもよい。
【０００９】
次に、建家内の機械設備について説明する。荷受室Ａの一側部には、利用者の保有米である玄米を荷受けする荷受ホッパ１を配置している。前記大規模乾燥調製貯蔵施設の低温管理されているサイロから、所定の小ロット（例えば、１トン）で籾を取り出し、籾摺後の玄米が例えばフレコンに入れられ、フォ−クリフトで運搬されて、荷受ホッパ１及び後記の出荷用の玄米を受け入れる荷受ホッパ２０に供給される。荷受ホッパ１及び後記の荷受ホッパ２０は、上端縁を床面と面一にした床配置型とし、１トン詰めのフレコンの玄米を一挙に供給できる大きさとしている。
【００１０】
このようにして、荷受ホッパ１に荷受けされた玄米は、後続の玄米タンクエレベータ２で揚穀され、玄米タンクコンベア３を経由して、精米室Ｂ内に配置されている複数の玄米タンク４，４に移し替えられる（なお、この実施例では、単一の品種の玄米を受け入れる構成であるが、複数の品種毎に分けて受け入れる構成としてもよい。）。玄米タンク４，４，…及び後記の玄米タンク２３，２３，…は、所定温度以下の低温に温度制御されるのが好ましいが、例えば、１トン単位の小ロットで移し替えられ、比較的短期間で払出あるいは出荷されるので、常温で保管する構成としてもよい。
【００１１】
玄米タンク４，４に保管されている玄米は、下部排出口から玄米引出計量機５で計量しながら引き出されて、下方の玄米タンク排出コンベヤ４ａを経て、精米機エレベータ７の下部に供給される。精米機エレベータ７で揚穀された玄米は、排出方向切替弁（図示省略）を介して、払出側と精米側とに切替できる構成であり、払出側に切替られた場合には、荷受ホッパ６を経由して払出室Ｄ側に払出され、また、精米機側に切替られた場合には、後続の精米タンク８を経て、精米機９に供給されて精米される。
【００１２】
このようにして精米された白米は、石抜機エレベータ１０で揚穀されて石抜機１１に供給されて小石が除かれ（石抜機１１を経て精米機９に供給される構成としたり、あるいは、精米機９で精米された白米を別途構成の搬送装置で直接払出す構成としてもよい。）、次いで、カラ−選穀機エレベータ１２で揚穀されて、カラ−選穀機タンク１３を経由してカラ−選穀機１４に供給されて、着色粒が除かれ、次いで、自動計量包装機エレベータ１５で揚穀されて、自動計量包装機タンク１６に供給され、自動計量包装機１７で計量されながら、所定量ずつ払出口から払出される。
【００１３】
なお、精米後の白米が直接自動計量包装機タンク１６に供給され、自動計量包装機１７で所定量ずつ計量しながら払出される構成としてもよい。また、動力操作盤１８は，荷受ホッパ６，２０に供給された玄米を、玄米タンク４，４，２３，２３に移し替えの操作をするものである。また、管理端末機１９は、保有米の管理を委託している利用者が払出内容を指示操作するものである。
【００１４】
次に、出荷用玄米の保管及び出荷をする機械設備について説明する。荷受室Ａの他側部には、荷受ホッパ２０を配置し、荷受ホッパ２０に荷受けされた玄米は、玄米タンクエレベータ２１で揚穀されて、玄米タンクコンベア２２を経由して精米室Ｂ内に搬送され、複数の玄米タンク２３，２３，…に品種毎に区別されて収納される。玄米タンク２３内の玄米は、下部流出口から玄米タンク排出コンベア２４に取り出され搬送され、搬送終端側から石抜機２５に供給されて石抜選別される。なお、玄米タンク４及び玄米タンク２３に玄米を移し替えるにあたり、荷受ホッパ１，２０を経由することなく、これらの玄米タンクの上部からラセン搬送装置等で直接移し替える構成としてもよい。
【００１５】
次いで、精米機エレベータ２６の下部に流入して揚穀され、精米機エレベータ２６の上部の切替弁（図示省略）で切替られて、一方の精米機タンク２７あるいは他方の精米機タンク３０に供給され、精米機２８及び精米機３１に供給されて精米される。このようにして精米された白米は、篩い用エレベータ３２で揚穀されて篩い用タンク３３を経由して、周知の砕米篩３４に供給され、砕米・異物を除去する粒選別がされる。
【００１６】
砕米篩３４で選別された白米は、カラ−選穀機エレベータ３５で揚穀されて、カラ−選穀機タンク３６を経由してカラ−選穀機３７に供給され、カラ−選穀機３７で色彩選別され、黄変米等の着色米が除去される。次いで、色彩選別された白米は、白米タンク張込エレベータ３８で揚穀され、白米中継コンベア３９，白米タンク張込コンベア４０を経由して、複数の白米タンク４１，４１，…に、品種毎に張り込まれていく。
【００１７】
白米タンク４１，４１，…に張り込まれた白米は、下部流下口から夫れ夫れの白米タンク４１に設けられているブレンドスケ−ル４２，４２，…で計量され、好みのブレンド比率で白米をブレンドしながら取り出し、白米タンク排出コンベア４３を経由して、金属選別機エレベータ４４の下部に流入する。次いで、金属選別機エレベータ４４で揚穀されて金属選別機４５に供給され、金属選別機４５で白米に混入している金属片を除去する。ブレンドスケ−ル４２，４２，…で計量しながら取り出された白米は、白米タンク排出コンベア４３，金属選別機エレベータ４４，金属選別機エレベータ４４，金属選別機４５を経由する間に混合される。
【００１８】
金属選別機４５で選別された白米は、次いで、自動計量包装機エレベータ４６の下部に流入して揚穀され、自動計量包装機タンク４７を経由して、自動計量包装機４８に供給されて、所定重量毎に計量袋詰めされ、出荷コンベア４９で出荷室Ｃに搬送されて出荷される。なお、出荷室Ｃの片隅部には、集糠サイクロン５１及び集糠サイクロン５１を配置し、精米機２８，精米機３１の糠が搬送ホ−ス（図示省略）を経由して、集糠サイクロン５１に送られ、集糠サイクロン５１で分離された糠は、糠タンク５２に供給される。また、糠タンク５２の糠は糠取出コンベア５３を経由して取り出される。また、集塵サイクロン５４には精米室Ｂ内の塵埃を含んだ空気が送られ、塵埃が分離される。なお、動力操作盤５５は、出荷用玄米の機械設備を起動・停止する操作盤であり、ブレンドスケ−ル操作盤５６は、ブレンドスケ−ル４２，４２，…の操作盤である。
【００１９】
次に、図２に基づき、マイクロコンピュ−タ（以下ＣＰＵという。）６１による利用者個人向けの保有米払出システムの制御内容について説明する。ＣＰＵ６１には、入力インタ−フエイス及び出力インタ−フエイスを介して、利用者の操作する管理端末機１９が接続されている。また、ＣＰＵ６１には、出力インタ−フエイスを経由して、玄米引出計量機５の駆動手段６２，玄米排出コンベア４ａの駆動手段６３，玄米タンク４における下部流出口の開閉弁の開閉駆動手段６４，精米機エレベータ７の駆動手段６５，精米機エレベータ７の上部に設けられている切替弁（図示省略）の駆動手段６６，石抜機エレベータ１０の駆動手段６７，石抜機１１の駆動手段６８，カラ−選穀機エレベータ１２の駆動手段６９，カラ−選穀機１４の駆動手段７０，自動計量包装機エレベータ１５の駆動手段７１，自動計量包装機１７の駆動手段７２が接続されいる。また、ＣＰＵ６１には、入力インタ−フエイスを経由して、玄米袋センサ７３及び自動計量包装機１７における袋の装着の有無を検出できるが白米袋センサ７４接続されている。
【００２０】
次に、ＣＰＵ６１の利用者個人向けの保有米払出システムの制御内容について説明する。
（Ｉ）管理端末機１９がＯＮされると、操作画面（図示省略）には、「いらっしゃいませ。磁気カ−ドをお入れください。」と表示される。これに従って利用者が磁気カ−ド（図示省略）を管理端末機１９の挿入口に挿入すると、磁気カ−ドに係る利用者の保有米に関するデ−タ（例えば、利用番号，住所，コ−ド番号，保有米委託数量，前回までの引取り量，保有米残量等）が表示される。間違いの場合には、操作画面の取消しボタンをＯＮして終了させ、間違いでない場合には、確認ボタンを押すと、次の指示画面に移行する。
（ＩＩ）指示画面に移行すると、画面の表示が「ご利用種別及び数量をご指示ください。」の表示がされ、種別欄の「上白」，「標準」，「８分」，「玄米」の表示及びそれらの操作ボタン、並びに、数量欄の「１０ｋｇ」，「２０ｋｇ」，「３０ｋｇ」の表示及びこれらの操作ボタンの表示がなされる。これらの中から希望のもの操作ボタンを指定すると、種別及び数量が指定され、次の利用確認画面に移行する。
【００２１】
（ＩＩＩ）利用確認画面に移行すると、操作画面には利用者の指定内容が表示される。例えば、「あなた様の今回のご利用は、〔標準〕で〔１０ｋｇ〕である」旨表示され、間違いの場合は、取消しボタンを押し（取消しボタンが押されると、前記の指示画面に戻される。）、間違いでない場合には、確認ボタンを押すと、次の払出行程に移行する。
（ＩＶ）払出行程に移行すると、ＣＰＵ６１から指令が出されて払出運転が開始され、次のように玄米の払出及び白米の払出がされる。
【００２２】
玄米の払出である場合には、ＣＰＵ６１から玄米の払出指令が出され、駆動手段６４が駆動されて、玄米タンク４の下部の開閉弁が開かれ、玄米引出計量機５で指定重量が計量され、指定の計量に達すると、前記開閉弁が閉鎖される。このような玄米の払出作業中には、操作画面に「計量・払出中です。あなたの玄米は１番出口から１０ｋｇづつ出ます。紙袋を装着の上お待ちください。」旨の表示がされ、利用者により紙袋が装着されるまでの間は、「紙袋・装着」の表示を点滅して利用者に注意を促し、紙袋の装着したことを玄米袋センサ７３で確認すると、ＣＰＵ６１からの指令で、玄米排出コンベア４ａ，精米機エレベータ７が駆動され、切替弁を経て玄米の払出がされる。
（Ｖ）白米の払出である場合には、前記（ＩＩＩ）で種別及び数量が指定されると、ＣＰＵ６１の白米払出指令がなされる。すると、玄米タンク４の開閉弁が開かれ、玄米引出計量機５で指定重量の玄米の取り出しが開始され、指定の重量になると、前記開閉弁は閉鎖される。計量行程が終了すると、次いで、玄米排出コンベア４ａの排出搬送，精米機エレベータ７の揚穀，精米機９の精白行程を経て、石抜機１１の石抜行程，カラ−選穀機１４の色彩選別行程，自動計量包装機１７の計量包装行程を経て、２番出口から払出室Ｄに取り出される。
【００２３】
このような白米の払出中には、操作画面に、「玄米計量中」の表示が点滅して、その間に「玄米の計量・払出運転」がされ、次いで、「精米中」の表示が点滅する間に、「精米運転」等がなされ、精米作業等が終了すると、操作画面には、「白米の払出をします。」の表示が点滅し、「あなたの白米は２番出口から１０ｋｇづつ出ます。備付けのビニ−ル袋にて取り出しシ−ルして下さい。」の表示がされ、自動計量包装機１７の白米袋センサ７４で袋の装着を検出すると、前記の自動計量包装機１７の計量包装行程が駆動されて、２番出口から白米が払出室Ｄに取り出される。
（ＶＩ）このようにして、玄米あるいは白米の払出が終了すると、操作画面は終了画面に移行し、「ご利用伝票をお取り下さい。」の表示がされて、管理端末機１９のプリンタから伝票が取り出され、利用者の伝票取り出しが終了すると、「ご利用ありがとうございました。」の表示がなされると共に、利用者の保有米デ−タが更新され、次いで、前記の待機画面に移行する。
（ＶＩＩ）このようにして玄米あるいは白米の払出がなされるものであり、その利用状況については、施設管理用の管理端末機（図示省略）で、１日の利用者全員の利用状況を記録した日別集計表，１か月間の月別集計表，６が月間の半年集計表，年間集計表等が表示及びプリントアウトされる。
【００２４】
なお、システムが故障の場合には、管理端末機１９の操作画面に、「故障です。係員にご連絡下さい。」の表示がされる。また、前記の磁気カ−ドに代えて、暗証番号で利用者を特定する方式としてもよい。また、この実施例では、玄米及び白米の払出単位を、１０ｋｇ，２０ｋｇ，３０ｋｇ，６０ｋｇとしているが、これを５ｋｇ単位の段階的に、あるいは、１ｋｇ単位の無段階的に払出す方式としてもよい。また、利用農家の保有米の保管量を管理するにあたり、玄米保管施設のＣＰＵ６１の記憶装置に、並設している前記大規模乾燥調製貯蔵施設のコンピュ−タにおける利用農家の保有米デ−タを移し替えたり、あるいは、ＣＰＵ６１で玄米の払出をする際に、前記大規模乾燥調製貯蔵施設のコンピュ−タのデ−タと照会・照合しながら払出をしてもよく、また、ＣＰＵ６１と前記大規模乾燥調製貯蔵施設のコンピュ−タとを接続して、保有米デ−タについて前記コンピュ−タで一元的に管理する構成としてもよい。
【００２５】
次に、他の実施例について説明する。前記の実施例では、大能力の出荷用玄米払出施設と利用者個人向けの小能力の保有玄米の保管払出施設とを、並設した構成であるが、この実施例では、出荷用玄米払出施設を利用して、利用者個人向けの保有米の払出も行い、設備費の大幅な削減を図ろうとするものであり、以下具体構成を説明する。
【００２６】
前記実施例における荷受ホッパ１，玄米タンクエレベータ２，玄米タンクコンベア３，複数の玄米タンク４，４，玄米タンク排出コンベヤ４ａ，玄米引出計量機５，精米機エレベータ７，精米タンク８，精米機９，石抜機エレベータ１０，石抜機１１，カラ−選穀機エレベータ１２，カラ−選穀機タンク１３，カラ−選穀機１４，自動計量包装機エレベータ１５を取除き、払出用の荷受ホッパ６，自動計量包装機タンク１６及び自動計量包装機１７をそのまま設置した構成とする。そして、これに付加して、玄米タンク２３の何れかの下部に、玄米引出計量機５を設けて、玄米を計量できる構成とし玄米タンク２３から計量して取り出された玄米を精米機エレベータ２６で揚穀し、揚穀された玄米を荷受ホッパ６に搬送する玄米搬送装置（図示省略）を追加して、玄米を取り出しできる構成とする。
【００２７】
また、精米機エレベータ２９に揚穀された精米済みの白米を、白米搬送装置（図示省略）を経由して、自動計量包装機タンク１６に搬送して、白米を自動計量包装機１７から取り出せる構成とする。また、払出室Ｄを玄米タンク２３の近いところに配置換えすると、払出室２３への玄米及び白米の搬送経路を短縮できて好都合となる。
【００２８】
しかして、管理端末機１９に保有米払出指令が入力されると、ＣＰＵ６１から前記出荷用玄米払出施設の運転停止時、あるいは、運転時にはこれを一時停止して、優先して玄米等の払出指令がなされる。玄米払出の場合には、玄米引出計量機５を作動し、玄米タンク２３の開閉弁が開けられ、玄米引出計量機５が指定重量を計量すると、前記開閉弁を閉鎖し、取り出された玄米を、玄米タンク排出コンベア２４，精米機エレベータ２６，前記玄米搬送装置（図示省略）を経由して、荷受ホッパ６に搬送し、前記実施例と同様にして、玄米の払出をする。
【００２９】
また、白米払出の場合には、玄米引出計量機５を作動して、玄米タンク２３の開閉弁を開け、玄米引出計量機５が指定重量を計量すると、前記開閉弁を閉鎖する。このようにして取り出された玄米は、玄米タンク排出コンベア２４，精米機エレベータ２６を経由して、精米タンク２７に搬送され、精米機２８で精米される。次いで、白米は精米機エレベータ２９，前記白米搬送装置（図示省略）を経由して、自動計量包装機タンク１６に搬送され、前記実施例と同様にして自動計量包装機１７から白米が払い出されるものである。
【００３０】
次に、他の実施例について説明する。前記の実施例のように、大能力の業務出荷用玄米払出施設と利用者個人向けの小能力の保有玄米保管払出施設とを並設した施設において、保有玄米保管払出施設を利用して、外部から持ち込まれた玄米をコイン精米もできることにし、設備費の大幅な削減と施設の利用率の向上を図ろうとするものである。以下その具体構成について説明する。
【００３１】
前記実施例における荷受ホッパ１，玄米タンクエレベータ２，玄米タンクコンベア３，複数の玄米タンク４，４，玄米タンク排出コンベヤ４ａ，玄米引出計量機５，精米機エレベータ７，精米タンク８，精米機９，石抜機エレベータ１０，石抜機１１，カラ−選穀機エレベータ１２，カラ−選穀機タンク１３，カラ−選穀機１４，自動計量包装機エレベータ１５，自動計量包装機タンク１６，自動計量包装機１７から保有玄米保管払出施設は、同様に構成されている。この構成に、払出室Ｄにコイン精米ホッパ（図示省略）を設けて、持込み玄米を玄米引出計量機５に供給できる構成とし、管理端末機１９にコイン投入口（図示省略）を追加して、投入コインの種別及び枚数を検出できる構成とし、ＣＰＵ６１に後記のような制御機能を追加する構成である。
【００３２】
管理端末機１９の操作画面には、「保有米払出ボタン及びコイン精米ボタン」が表示されていて、コイン精米ボタンを押すと、コイン精米システムが開始される。すると、操作画面に「玄米をコイン精米ホッパにお入れ下さい。」との表示がなされ、利用者が持込み玄米を前記コイン精米ホッパに投入すると、玄米引出計量機５で計量される。次いで、操作画面に「精米料金は〇〇です。コインをコイン投入口にお入れ下さい。」との表示がなされ、コインが全額投入されると、コイン精米を開始する指令がなされる。
【００３３】
すると、玄米排出コンベア４ａが駆動されて、玄米が精米機エレベータ７の下部に送られ、精米機エレベータ７，精米機タンク８を経由して、精米機９に供給され精米される。次いで、精米された白米は、石抜機１１の石抜行程，カラ−選穀機１４の色彩選別行程，自動計量包装機１７の計量包装行程を経て、前記実施例と同様に２番出口から白米で払出室Ｄに取り出される。
【００３４】
【発明の効果】
この発明は、上述のように、大規模乾燥調製貯蔵施設の穀粒低温貯蔵庫で所定温度以下に保管されている保有穀粒を、業務出荷用玄米として出荷室Cから出荷できると共に、保有玄米保管払出施設の玄米タンク４に移し替えられて保管され、利用者の指定玄米量に基づき、玄米のままあるいは精米して白米として自動的に払い出し室Dから払い出されるので、保有玄米の食味を良好に維持したものでありながら、自動的に払出ができて、施設管理者を減らし人件費も節減できる。
【図面の簡単な説明】
【図１】 施設全体の切断平面図
【図２】 ブロック図
【符号の説明】
Ａ 荷受室
Ｂ 精米室
Ｃ 出荷室
Ｄ 払出室
１ 荷受ホッパ
２ 玄米タンクエレベータ
３ 玄米タンクコンベア
４ 玄米タンク
５ 玄米引出計量機
６ 荷受ホッパ
７ 精米機エレベータ
８ 精米機タンク
９ 精米機
１０ 石抜機エレベータ
１１ 石抜機
１２ カラ−選穀機エレベータ
１３ カラ−選穀機タンク
１４ カラ−選穀機
１５ 自動計量包装機エレベータ
１６ 自動計量包装機タンク
１７ 自動計量包装機
１８ 動力操作盤
１９ 管理端末機
２０ 荷受ホッパ
２１ 玄米タンクエレベータ
２２ 玄米タンクコンベア
２３ 玄米タンク
２４ 玄米タンク排出コンベア
２５ 石抜機
２６ 精米機エレベータ
２７ 精米機タンク
２８ 精米機
２９ 精米機エレベータ
３０ 精米機タンク
３１ 精米機
３２ 篩い用エレベータ
３３ 篩い用タンク
３４ 砕米篩
３５ カラ−選穀機エレベータ
３６ カラ−選穀機タンク
３７ カラ−選穀機
３８ 白米タンク張込エレベータ
３９ 白米中継コンベア
４０ 白米タンク張込コンベア
４１ 白米タンク
４２ ブランドスケ−ル
４３ 白米タンク排出コンベア
４４ 金属選別機エレベータ
４５ 金属選別機
４６ 自動計量包装機エレベータ
４７ 自動計量包装機タンク
４８ 自動計量包装機
４９ 出荷コンベア
５０ エア−コンプレッサ
５１ 集糠サイクロン
５２ 糠タンク
５３ 糠取出コンベア
５４ 集塵サイクロン
５５ 動力操作盤
５６ ブレンドスケ−ル操作盤
６１ マイコン（ＣＰＵ）
【図１】
0003772356.tif 000002
【図２】
0003772356.tif 000003